(57)【特許請求の範囲】
【請求項１】
住宅のキッチンに接続して設けられる１つの排気装置が複数の排気ファンを有し、前記複数の排気ファンは対応する複数本の排気ダクトに接続されたキッチンの排気構造であって、
前記複数の排気ファンは個別又は同時に運転可能及び排気風量を調整可能に制御され、
前記排気ダクトはそれぞれ断熱被覆がなされ、この断熱被覆を含めた外径が前記住宅の天井懐の梁の梁せいに納まる大きさの小口径のダクトであり、
前記梁には前記排気ダクトに対応する小口径の梁スリーブが配設され、該梁スリーブを介して前記排気ダクトが配管されて、
前記天井懐に前記複数本の排気ダクトが梁貫通により並設されて外部吹出口に連通されたことを特徴とするキッチンの排気構造。
【発明の詳細な説明】
【技術分野】
【０００１】
本発明は、住宅等のキッチンから屋外への排気を行う排気システムに関する。
【背景技術】
【０００２】
一般に、換気設備等においては、ダクトを用いて空気が所定の場所まで導かれている。また、建物の天井裏スペースにダクトを配設して、ダクトにより建物の外部と居室とが接続されて換気できるように構成される例も多い。外壁に接している居室であれば、ダクト径が大きくても、そのまま外部へ接続できるので問題ないが、外壁に面していない居室であると、外壁面までダクトを配管しなければならい。しかし、天井懐が梁によって分断されているが、その梁を跨ぐようにしてダクトを設置することは困難なため、梁に貫通孔を設け、その貫通孔にダクトを貫通させて配管されることがある。
【０００３】
すなわち、上記のような梁貫通させるダクトは、従来、あらかじめ鉄骨梁に大きめのダクト貫通孔を設け、これにダクトを挿通して配管されている。例えば、スラブを支持する鉄骨梁に、開口径Ｄの貫通孔を設け、口径ｄのダクトを通す場合を考える。鉄骨梁には必要に応じて耐火被覆が施され、ダクトには断熱材が被覆される。通常、鉄骨梁の耐火被覆はほぼ３０〜６０ｍｍの厚さが必要であり、またダクトの断熱材は２０〜２５ｍｍほどの厚さのものが外周面に巻き付けられている必要がある。したがって、従来の場合、鉄骨梁の貫通孔の大きさ（開口径Ｄ）は少なくとも、ダクト口径ｄに断熱材および耐火被覆の厚みを加えて計画されていなければならなかった。
【０００４】
したがって、従来は、鉄骨梁にダクトを貫通させる際、貫通孔は、ダクトの口径ｄよりも、ダクトの断熱材厚の２倍寸法と、必要に応じて耐火被覆厚の２倍寸法分だけ大きい開口径Ｄをもって設けられていなければならず、かつ鉄骨梁の強度を損なわず、梁せいに納まるように設けるとすれば、必然的にダクトの口径ｄを小さくするか、梁せいを大きくすることになっていた。また、これらの対応ができない場合には、下がり天井として、ダクトを配設用に天井面を下げて形成するしかなかった。
【０００５】
例えば、特許文献１には、隣接する居室の境界付近の天井が下がり天井部となっており、この下がり天井部にセントラル空調設備用の通風ダクトが通された構造について記載されている。下がり天井部は、天井面よりも低い高さに形成され、天井面材と平行なダクト用天井面材とを組み合わせて、緩やかな傾斜天井面材を架け渡して形成されている。
【特許文献１】特開平１１−２３０６０８号公報
【発明の開示】
【発明が解決しようとする課題】
【０００６】
しかしながら、上記のように室内に下がり天井部を設けると、天井高にある程度余裕のある場合はよいが、住宅などの居室ではそれほど天井高がなく、下がり天井部によって室内に圧迫感を与え、室内意匠を損なうおそれがある。また、下がり天井を設ける位置によっては、家具や開口部等の配置に制約を生じるという問題点もある。
【０００７】
そこで、住宅などでは、ダクトを天井懐に納めて配管し、梁貫通により外部へ導くことが最も好ましい。通常、キッチンに設けられるレンジフードには、送風機とともに、１本のダクトが接続され、外部まで配管されている。レンジフードに設けられる通常のダクトは、口径が１５０ｍｍで形成されており、梁せいが２００〜２５０ｍｍとなる住宅等の建物では、梁貫通させることが困難であった。このような事情にあって、キッチンに設けられるレンジフード等の排気装置においては、十分な捕集力を有するものが求められており、ダクト径が小さくて済む小風量の送風機では対応できなくなっている。
【０００８】
また、近年では、ストック社会へ移行する中で、ストックを想定した新築住宅や既存建物を改修または再生して、建物を長期にわたって運用していくことが期待されている。建物を長期にわたって有効に使い続けるためには、強度的な耐久性を確保するだけでなく、その時々の建物の使用者や社会の要求に応じて建物の形態を変化させられることが必要となる。
【０００９】
例えば、住宅で言えば、家族構成が変化するのにともなって、必要な居室やその数が変わっていくため、将来、プラン変更やリフォーム等が行われることを想定した上で、それに対応できるように当初から計画されていることが望ましい。これにより、コストおよび資源の観点から損失を招くことなく、対応して建物を利活用することが可能となる。
【００１０】
このような観点から、キッチンにおいても、新築時とは異なる場所にキッチンを設けたりキッチン内でのレイアウト変更をしたりすることが想定され、また、外壁に面さない場所にキッチンを移したり、レンジフードを新設・更新したりする必要性も生じる。そうすると、従来の下がり天井の構造では、天井を解体してダクト配管のやり直しを行ったり、ダクトを新たに配設するための躯体工事も発生したりすることになる。また、外壁に面していない場所にキッチンを設けるには、新たに下がり天井を設けて天井材の設置高さを変更して対応しなければならなくなる。
【００１１】
このため、上記のような従来のレンジフードおよびダクト配管における課題に加えて、長期的な建物の運用に対応させるには、キッチンの排気構造を新たなものに構築し直すことが求められていた。
【００１２】
本発明は、上記のような問題点にかんがみてなされたものであり、住宅等のキッチンにおいて、室内意匠を損なうことのない排気ダクトの配設形態を可能とし、かつ、十分な捕集力を有するとともに適切な排気風量を得られ、さらに、建物の長期的な運用にも対応することのできるキッチンの排気構造を提供するものである。
【課題を解決するための手段】
【００１３】
上記した目的を達成するため、本発明は、住宅のキッチンに接続して設けられる１つの排気装置が複数の排気ファンを有し、前記複数の排気ファンは対応する複数本の排気ダクトに接続されたキッチンの排気構造であって、前記複数の排気ファンは個別又は同時に運転可能及び排気風量を調整可能に制御され、前記排気ダクトはそれぞれ断熱被覆がなされ、この断熱被覆を含めた外径が前記住宅の天井懐の梁の梁せいに納まる大きさの小口径のダクトであり、前記梁には前記排気ダクトに対応する小口径の梁スリーブが配設され、該梁スリーブを介して前記排気ダクトが配管されて、前記天井懐に前記複数本の排気ダクトが梁貫通により並設されて外部吹出口に連通されたことを特徴としている。
【００１４】
このような発明により、従来は梁貫通が困難であったり、室内に露出して配管されたりしていた排気ダクトを、天井懐に納めて配設することができ、室内意匠に影響せずすっきりとした納まりのキッチンを形成することができる。しかも、前記排気装置は複数の排気ファンを有し、これらの複数の排気ファンを必要な排気風量に応じて個別又は同時に運転したり排気風量を調整したりすることができるので、十分な補修力を確保して利便性が向上するとともに、効率的な動作状態にすることができ、快適な居住環境と省エネルギーを実現することができる。さらに、複数の排気ファンに対応する複数本の小口径の排気ダクトが天井懐に配管されるので、キッチンの形態が、いわゆるＩ型、Ｌ型、あるいはアイランド型等のどのような形態にも対応することができ、将来のプラン変更に際しても同様に対応することができる。
【００１５】
具体的には、前記排気ダクトは口径が約１００ｍｍで形成され、排気装置には２本の排気ダクトが接続されるとともに、２台の排気ファンが備えられていることが好ましい。また、前記排気ダクトは口径が約１２５ｍｍで形成され、排気装置に２本の排気ダクトが接続されるとともに、２台の排気ファンが備えられた構成であってもよい。
【００１６】
このような構成であることにより、天井懐の梁が、約２００〜２５０ｍｍのせいを有するものであっても、排気ダクトを貫通させて配設することが可能となる。したがって、キッチンが外壁に面する場所に設けられてなくとも、天井懐を通して排気ダクトを外部吹出口まで連通させることができ、どのようなプランタイプにも対応させることができる。
【００１９】
また、本発明では前記構成のキッチンの排気構造において、前記排気装置には、各排気ダクトに誘導する排気流路が排気ファンごとに形成されてもよい。これにより、排気装置内における気流バランスを制御し、効率のよい運転が可能になるとともに、多様な排気形態をとることができる。
【００２０】
さらに、本発明では前記構成のキッチンの排気構造において、前記梁に、あらかじめ梁スリーブを貫通させて配設されていることにより、排気ダクトを貫通させる予備の貫通孔が設けられている構成であってもよい。
【００２１】
これにより、将来のリフォーム等においてキッチンの配置形態が変わったり、場所が移動したりしても、梁に貫通孔を設ける作業をすることなく、排気ダクトを配設し直すことができ、長期的な建物の運用にも容易に対応することが可能となる。
【発明の効果】
【００２２】
上述のように構成される本発明のキッチンの排気構造によれば、キッチンの室内意匠を損なうことのない排気ダクトの配設形態が可能となり、かつ、十分な捕集力と適切な排気風量を確保することができ、さらに、建物の長期的な運用にも容易に対応することが可能となる。
【発明を実施するための最良の形態】
【００２３】
以下、本発明に係るキッチンの排気構造を実施するための最良の形態について、図面を参照しつつ説明する。
【００２４】
図１は本発明のキッチンの排気構造の一例を示す斜視図であり、図２〜６は本発明のキッチンの排気構造を模式的に示す説明図である。
【００２５】
本発明に係るキッチンの排気構造は、図１に示すように、キッチン１の天井１１に排気装置２が設けられ、この排気装置２に排気ダクト３が接続されている。また、排気ダクト３は天井懐１２において、梁貫通により配設された構成となっている。
【００２６】
排気装置２は、例えば箱状のフード体に、吸込口や排気ファンなどが備えられたレンジフード等に相当し、キッチン１において調理時に発生する湯気、油煙等を屋外に排気する。
【００２７】
排気装置２から延びる排気ダクト３は、円形断面を有して形成されており、外周面に断熱被覆３１がなされている。例示の形態では、排気ダクト３は、この断熱被覆３１を含めた外径が鉄骨梁４の梁せいに納まる大きさで構成される、小口径のダクトが用いられている。
【００２８】
かかる排気装置２と外部吹出口５とは、並走して配設される複数本の排気ダクト３，３によって接続されている。図示するように、例示の形態では、排気装置２に２本の排気ダクト３，３が接続されて、外部吹出口５の方向へ延設されている。
【００２９】
ここで、排気ダクト３，３は小口径で構成され、キッチン１の天井懐１２に配設されている鉄骨梁４に貫通させて配管される。キッチン１は、図２に示すように、外壁８に面した場所に配置された居室形態であっても、また、図３に示すように、外壁８に面さない建物の内部に配置された居室形態であっても適用することができる。
【００３０】
図１に示したように、キッチン１の上部の天井懐１２の鉄骨梁４には、ウェブ４１に貫通孔４２，４２が設けられて、小口径の排気ダクト３，３に対応させた小口径の梁スリーブ６，６がそれぞれ取り付けられている。梁スリーブ６は、円筒状に形成されて内側に排気ダクト３を挿通できるように形成されている。
【００３１】
このように鉄骨梁４に設けられた梁スリーブ６，６を介して、排気ダクト３，３が梁貫通により天井懐１２に配管されている。これにより、排気ダクト３，３をキッチン１の天井１１部分に露出させたり、下がり天井を形成したりすることなく、外部吹出口５まで配管することができるようになっている。
【００３２】
排気装置２には、複数本の排気ダクト３に対応させた数の排気ファン７が備えられている。すなわち、例示の形態では、２本の排気ダクト３，３に対応して２台の排気ファン７，７が設けられている。これらの排気ファン７，７は、キッチン１の空気を吸引して排気ダクト３に吐出する。排気装置２は、２台の排気ファン７を備えることにより、必要な排気風量を満たすように構成されている。
【００３３】
また、これらの排気ファン７，７は、排気ダクト３，３と対をなして、排気装置２に接続されている。このため、各排気ダクト３に誘導される排気流路は、設けられた２台の排気ファン７ごとに形成されていてもよい。すなわち、図４に示すように、排気装置２の内部が区画部材２１により２つに区画された構造となっている。これにより、排気装置２には、吸込口から排気ダクト３に到るまでの排気流路が２通り形成されて、各排気流路に排気ファン７が一つずつ設けられている。
【００３４】
このように個別の排気流路に設けられた各排気ファン７は、それぞれが単独あるいは同時に運転可能に制御されており、必要な排気風量により運転形態を選択可能とされていることが好ましい。また、排気ファン７，７がどちらも同一の捕集能力を有するものとするだけでなく、異なる能力の排気ファンを選択するようにしてもよい。
【００３５】
例えば、キッチン１の加熱調理器を少量の熱量で使用しているときには、設けられた両方の排気ファン７，７を駆動させなくとも、一方の排気ファン７のみの運転で排気するように操作し、排気ファン７，７の運転形態を適宜選択して制御することができる。具体的には、排気ファン７が備えるモータの回転数をコントロールしたり、その風量や風速を変化させたりすることにより、排気ファン７，７の運転形態を２台による強運転、１台または２台による中運転、１台のみによる弱運転に切り換えることができるものである。
【００３６】
したがって、排気ファン７，７は、２台の同時運転により必要排気風量を確保することができているので、それぞれの排気ファン７を小型化することも可能となり、これにより排気装置２の形状や設計における自由度を増すものとなる。
【００３７】
また、本発明のキッチンの排気構造は、図５や図６に示すような形態であってもよい。すなわち、図５に示す形態では、天井懐１２において、２本の並設された排気ダクト３，３の中間部分に排気ファン７，７が設けられている。これにより、排気装置２は、キッチン１の上部にフード体や吸込口が設けられるだけで、排気ファン７，７が天井懐１２に納められているので、レンジフードの形状等を従来よりも自由に設計したり変更したりすることができる。
【００３８】
また、図６に示す形態では、排気ダクト３，３の下流側端部において、外部吹出口５に接続させた屋外に排気ファン７，７が設けられている。この場合も、図５の例と同様に、排気装置２は、キッチン１の上部にフード体や吸込口が設けられるだけであるので、設計自由度が増す。加えて、排気ファン７，７に外部から容易にアクセスできるので、メンテナンス性が向上し、騒音源を外置きとすることによって、居住性も向上させることができる。
【００３９】
以上のような排気構造により、キッチン１にレンジフード等を設けるにあたり、排気ダクト３をキッチン１に露出させることなく、梁貫通により天井懐１２に配設することができ、すっきりと納めて室内意匠に影響を与えない外観を形成することができる。しかも本発明においては、排気ダクト３を複数本備えるとともに、排気ファン７を複数台備えているので、従来の構造と比較しても全く遜色のない風量と捕集能力を得ることができる。
【００４０】
建物の長期的な運用に際しては、キッチン１のレイアウトが変更されても、新たに下がり天井等を形成することなく対応することができる。また、下がり天井ではないので、天井懐１２において排気ダクト３を延長させたり短縮させたりして配管し直すことが容易であり、所望の場所に排気装置２を配置替えすることができ、制約なくキッチン１のリフォームをすることができる。
【００４１】
さらに、かかる排気構造において、鉄骨梁４に、あらかじめ複数箇所に梁スリーブ６，６が貫通して配設されてあってもよい。この場合、建物の構造躯体として配設されている鉄骨梁４には、新築時にあらかじめ排気ダクト３を貫通させる予備の貫通孔４２を構成しておき、梁スリーブ６を設けるようにする。これにより、新たに排気ダクト３の配管が必要になった場所に、予備の貫通孔４２を利用して配管し、躯体作業をすることなく梁貫通により排気ダクト３を配設することができ、どのような改修や改築にも対応することが可能となる。
【実施例】
【００４２】
図７は、本発明のキッチンの排気構造における実施例を示し、排気ダクト３が設けられた鉄骨梁４の説明図である。
【００４３】
キッチン１の天井懐１２には、排気ファンを備える排気装置に接続された排気ダクト３が２本、梁貫通により配設されている。排気装置には２台の排気ファンが備えられている（図１参照）。
【００４４】
天井懐１２において、鉄骨梁４はＨ形鋼の場合を示しており、住宅等の建物において通常用いられる種類のものであり、せいＨは、２００〜２５０ｍｍで形成されている。鉄骨梁４のウェブ４１には、所定間隔を設けて２つの貫通孔４２，４２が開設されている。また、各貫通孔４２には梁スリーブ６がそれぞれ取り付けられている。
【００４５】
鉄骨梁４のせいＨが２００ｍｍであるとき、排気ダクト３，３は外径φが１００ｍｍの小口径のダクトを使用することができる。各排気ダクト３は、厚さ２０ｍｍの適宜の断熱材３１ａで被覆されている。したがって、排気ダクト３，３は断熱被覆を含めて、外径が約１４０ｍｍに構成されている。
【００４６】
従来の構造であれば、排気ダクトはその外径φを１５０ｍｍ以上とする必要があり、断熱被覆を含めれば１９０ｍｍ以上の外径となっていた。このため、梁には、２００ｍｍ以上の直径を有する貫通孔を必要とし、これに対応する大口径の梁スリーブを設けなければならなかった。しかしながら、これに対応する梁せいが十分に確保できず、梁貫通により大口径の梁スリーブを設けられない場合が多かった。
【００４７】
これに対し、本排気構造においては、１本の排気ダクト３の大幅な小型化を図ることができ、せいＨが２００ｍｍ〜２５０ｍｍ程度の、通常の住宅の構造躯体であっても、排気ダクト３を貫通させることが可能となっている。
【００４８】
すなわち、本実施例では、鉄骨梁４に設ける貫通孔４２，４２は、２００ｍｍのせいＨに開設することのできる大きさ、例えば直径Ｄが１５０ｍｍ程度で足り、排気ダクト３，３を梁貫通により配設することが可能となっている。
【００４９】
また、鉄骨梁４のせいＨが２５０ｍｍであるときには、排気ダクト３，３は外径φが１２５ｍｍの小口径のダクトを使用することもできる。排気ダクト３，３は、断熱被覆を含めて約１６５ｍｍの外径となり、小型化を図ることができている。鉄骨梁４に設ける貫通孔４２，４２は、２５０ｍｍのせいＨに開設可能な、例えば１７５ｍｍ程度とすることができる。これにより、排気ダクト３，３を梁貫通により配設し、天井懐１２に納めることができる。
【００５０】
したがって、キッチンの天井１１を排気ダクト３の配設のために低く下げて形成するなどの対応が必要なく、室内意匠を損なうことなく、排気構造を形成することができる。
【００５１】
なお、本実施例において、梁、排気ダクト、梁スリーブ等の寸法は例示であって、これらの数値に限定されるものではなく、梁貫通により複数本の排気ダクトを設けることのできる形態であれば、どのような寸法構成であってもよい。
【産業上の利用可能性】
【００５２】
本発明は、住宅等のキッチンにおいて形成する排気構造に好適に利用することができる。
【図面の簡単な説明】
【００５３】
【図１】本発明に係るキッチンの排気構造を示す斜視図である。
【図２】本発明のキッチンの排気構造の一例を模式的に示す説明図である。
【図３】本発明のキッチンの排気構造の他の例を模式的に示す説明図である。
【図４】本発明のキッチンの排気構造の他の例を模式的に示す説明図である。
【図５】本発明のキッチンの排気構造の他の例を模式的に示す説明図である。
【図６】本発明のキッチンの排気構造他の例を模式的に示す説明図である。
【図７】本発明の実施例を示し、鉄骨梁における排気ダクトの配設形態を示す説明図である。
【符号の説明】
【００５４】
１  キッチン
１１  天井
１２  天井懐
２  排気装置
３  排気ダクト
４  鉄骨梁
５  外部吹出口
６  梁スリーブ
７  排気ファン
【図１】
0005115313.tif 000002
【図２】
0005115313.tif 000003
【図３】
0005115313.tif 000004
【図４】
0005115313.tif 000005
【図５】
0005115313.tif 000006
【図６】
0005115313.tif 000007
【図７】
0005115313.tif 000008